(57)【要約】【課題】  リミットスイッチの接点部を適切に配置して、接点部への入力動作に対し確実に接点部を開閉動作させられ、ドアの開閉制御に係る信頼性、安全性向上を図れるドアロックスイッチ装置を提供する。【解決手段】  ドア５０の位置検出用のリミットスイッチ部１０における略板状の二つの接点部１３、１４の各基端部１３ａ、１４ａ位置を大きく異ならせて配置し、ロックレバー２０によるドアロックの解放時に、ロックレバー１２の押圧を受ける他の接点部先端部１４ｂを一の接点部先端部１３ｂの移動可能範囲外に動かしてスイッチ開状態とすることにより、ロックレバー２０による押圧で他の接点部１４を確実に一の接点部１３に対し引離すことができ、ドアロックの解放と共にスイッチを確実に開状態に移行させられ、閉状態の異常継続もなくリミットスイッチとしての信頼性を高められ、ドア開閉機構全体の安全性を確保できる。【選択図】  図５
2009263083.tif 000002
【特許請求の範囲】
【請求項１】
開閉動作として直線移動するドアから突出するカム部の移動経路内に一部を出入り可能としてそれぞれ固定配設されるリミットスイッチ部及びロック機構部を有し、ドアが所定位置に到達した状態で前記リミットスイッチ部が前記カム部に当接して接点を開状態から閉状態にすると共に、ロック機構部が一部をカム部の移動を妨げる箇所に位置させてドアを機械的に拘束するドアロックスイッチ装置において、
前記リミットスイッチ部が、導体製の一の接点部と他の接点部とを有し、当該一の接点部と他の接点部が、それぞれの基端部を離隔させて配置されると共に、前記基端部に対する各先端部を、相反する方向から互いに近付けた状態で所定範囲移動自在に配置され、
ドアが前記所定位置に到達した状態で、前記リミットスイッチ部の一の接点部が、先端部を前記他の接点部の先端部に当接する位置とされ、
前記ロック機構部が、前記カム部移動経路から出てカム部の移動を許容する位置で、前記他の接点部を押圧して他の接点部の先端部を前記一の接点部先端部の移動可能範囲外の所定箇所に保持することを
特徴とするドアロックスイッチ装置。
【請求項２】
前記請求項１に記載のドアロックスイッチ装置において、
前記リミットスイッチ部が、ドアに対し不動となる所定のスイッチ枠に所定角度揺動自在として配設されるスイッチレバーを備えてなり、
前記スイッチレバーが、先端部がカム部の移動経路内に入った第一角度位置と、前記先端部が前記カム部に当接して当該カム部の移動経路外にずらされた第二角度位置との間で揺動自在とされ、且つ前記第二角度位置側から第一角度位置側へ揺動する向きに付勢され、
前記一の接点部及び他の接点部が、前記スイッチレバーが前記第一角度位置にある場合に各接点部先端部を互いに離隔させ、
前記一の接点部が、前記基端部を前記スイッチ枠の前記スイッチレバー近傍となる所定部位に支持配設されると共に、前記先端部を前記第二角度位置へ揺動するスイッチレバーからの押圧を受けて所定範囲移動する配置とされ、
前記他の接点部が、前記基端部を前記一の接点部から離れたスイッチ枠の所定部位に支持配設されると共に、前記先端部を前記スイッチレバーが第二角度位置にある状態における前記一の接点部の先端部と当接する配置とされることを
特徴とするドアロックスイッチ装置。
【請求項３】
前記請求項１又は２に記載のドアロックスイッチ装置において、
前記ロック機構部が、前記所定位置におけるドアのカム部に対し、末端部をカム部移動経路上に配置してカム部の移動を妨げる固定位置と、前記末端部をカム部の移動経路から離してカム部の移動を許容する解放位置との間で所定角度範囲揺動自在として、前記スイッチ枠に配設されるレバー状のロックレバーとされ、当該ロックレバーは前記解放位置側から固定位置側へ揺動する向きに付勢されてなり、
前記ドアが前記所定位置にある状態で、外部からの操作に基づき、前記ロックレバーを固定位置から解放位置へ強制的に揺動させて保持するアクチュエータ部が、前記スイッチ枠に配設され、
前記他の接点部が、前記解放位置へ揺動するロックレバーの一部と所定部位で当接して押圧され、ロックレバーの解放位置到達状態で前記先端部が前記一の接点部先端部の移動可能範囲外の所定箇所に達することを
特徴とするドアロックスイッチ装置。
【請求項４】
前記請求項１ないし３のいずれかに記載のドアロックスイッチ装置において、
前記リミットスイッチ部における他の接点部が、基端部をスイッチ枠に軸支配設されて所定角度揺動自在とされ、前記一の接点部の先端部に近付く揺動方向に付勢されてなることを
特徴とするドアロックスイッチ装置。
【発明の詳細な説明】
【技術分野】
【０００１】
本発明は、ドアの開閉動作制御におけるドア位置検出に用いられるドアロックスイッチ装置に関し、特に、ドアを機械的にロックする機構を一体化されたドアロックスイッチ装置に関する。
【背景技術】
【０００２】
エレベータのドアは、運搬する人や物品の落下、巻込み等のトラブル発生を防止するため、閉止状態で容易に開放しないようロックがなされるが、ロックの方法としては、リミットスイッチ等でドア閉止状態を検出し、モータ等のドア駆動部を動作させないようにすると共に、機械的にドアの一部を拘束して動かないようにすることも必要となる。
【０００３】
こうしたエレベータのドアロックスイッチとして、制御用の電気的なリミットスイッチと共に、機械的なロック機構を組合わせたものが従来から利用されており、荷物用エレベータに適用される一例を図９ないし図１２に示す。
【０００４】
前記各図に示した従来のドアロックスイッチ装置１００は、ドア５０が閉止位置に到達すると、ドア５０から突出させたカム部５１がリミットスイッチ部１０１のスイッチレバー１０４端部に接触してスイッチ機構部１０５を閉状態とすることで、ドア５０の閉止位置到達が電気的に検出されてドア開閉機構を非動作状態に移行させると共に、ロック機構をなすロックレバー１０２末端部がカム部５１の移動を妨げる位置まで揺動して機械的にドア５０をロックした状態が得られる仕組みである。ドア５０を開放させる場合は、ソレノイド１０３への通電でロックレバー１０２を強制揺動させ、その末端部をカム部５１から離れた位置に動かすと、同時にロックレバー１０２の一部に押圧されたリミットスイッチ部１０１のスイッチ機構部１０５が開状態となり、ドア５０を開放側に動かせるようになっている。
【発明の開示】
【発明が解決しようとする課題】
【０００５】
従来のドアロックスイッチ装置は上記のように構成されており、開閉機構の制御に不可欠なドアの閉止位置到達の検出とドアの機械的なロックがコンパクトな一体型の装置で実現できるものとなっていたが、リミットスイッチ部１０１のスイッチ機構部１０５をなす板状の接点部分が互いに近接し、片持ち支持で同じ向きに撓む配置とされており、ロックレバー１０２による押圧で接点が開状態になる場合も、一方の接点部に対しロックレバー１０２で押された他方の接点部が撓みを増して離れる機構となっているため、仮にリミットスイッチ部１０１の閉状態で何らかの原因により接点同士が固着するトラブルが生じた場合、ロックレバー１０２による押圧を受けて撓む接点部にもう一方の接点部がそのまま追随して撓み、結果として接点部同士が離れず、スイッチを開状態にスムーズに移行させられない事態が起こり得るという課題を有していた。
【０００６】
本発明は前記課題を解消するためになされたもので、リミットスイッチの接点部を適切に配置して、接点部への入力動作に対し確実に接点部を開閉動作させられ、ドアの開閉制御に係る信頼性、安全性向上を図れるドアロックスイッチ装置を提供することを目的とする。
【課題を解決するための手段】
【０００７】
本発明に係るドアロックスイッチ装置は、開閉動作として直線移動するドアから突出するカム部の移動経路内に一部を出入り可能としてそれぞれ固定配設されるリミットスイッチ部及びロック機構部を有し、ドアが所定位置に到達した状態で前記リミットスイッチ部が前記カム部に当接して接点を開状態から閉状態にすると共に、ロック機構部が一部をカム部の移動を妨げる箇所に位置させてドアを機械的に拘束するドアロックスイッチ装置において、前記リミットスイッチ部が、導体製の一の接点部と他の接点部とを有し、当該一の接点部と他の接点部が、それぞれの基端部を離隔させて配置されると共に、前記基端部に対する各先端部を、相反する方向から互いに近付けた状態で所定範囲移動自在に配置され、ドアが前記所定位置に到達した状態で、前記リミットスイッチ部の一の接点部が、先端部を前記他の接点部の先端部に当接する位置とされ、前記ロック機構部が、前記カム部移動経路から出てカム部の移動を許容する位置で、前記他の接点部を押圧して他の接点部の先端部を前記一の接点部先端部の移動可能範囲外の所定箇所に保持するものである。
【０００８】
このように本発明によれば、ドアの位置検出用のリミットスイッチ部における二つの接点部の各基端部位置を大きく異ならせて配置し、ロック機構部によるドアロックの解放時にロック機構部の押圧を受けて他の接点部先端部が動く向きと、一の接点部の移動可能な向きとを異ならせ、ロック機構部で他の接点部先端部を一の接点部先端部の移動可能範囲外に動かしてスイッチ開状態とすることにより、ロック機構部による押圧で他の接点部を確実に一の接点部に対し引離すことができ、ドアロックの解放と共にスイッチを確実に開状態に移行させられ、閉状態の異常継続もなくリミットスイッチとしての信頼性を高められ、ドア開閉機構全体の安全性を確保できる。
【０００９】
また、本発明に係るドアロックスイッチ装置は必要に応じて、前記リミットスイッチ部が、ドアに対し不動となる所定のスイッチ枠に所定角度揺動自在として配設されるスイッチレバーを備えてなり、前記スイッチレバーが、先端部がカム部の移動経路内に入った第一角度位置と、前記先端部が前記カム部に当接して当該カム部の移動経路外にずらされた第二角度位置との間で揺動自在とされ、且つ前記第二角度位置側から第一角度位置側へ揺動する向きに付勢され、前記一の接点部及び他の接点部が、前記スイッチレバーが前記第一角度位置にある場合に各接点部先端部を互いに離隔させ、前記一の接点部が、前記基端部を前記スイッチ枠の前記スイッチレバー近傍となる所定部位に支持配設されると共に、前記先端部を前記第二角度位置へ揺動するスイッチレバーからの押圧を受けて所定範囲移動する配置とされ、前記他の接点部が、前記基端部を前記一の接点部から離れたスイッチ枠の所定部位に支持配設されると共に、前記先端部を前記スイッチレバーが第二角度位置にある状態における前記一の接点部の先端部と当接する配置とされるものである。
【００１０】
このように本発明によれば、リミットスイッチ部が各接点部とスイッチレバーとを有し、スイッチ枠上に各基端部位置を大きく異ならせて配置した二つの接点部に対し、スイッチレバーをカム部の動きに対応させて揺動させ、スイッチレバーで一の接点部を押圧して、一の接点部先端部を他の接点部先端部と当接可能な位置まで移動させることにより、カム部の動きをスイッチレバーで検出して各接点部からなるスイッチ機構を確実に開閉させられ、リミットスイッチとしての信頼性を向上させられる。
【００１１】
また、本発明に係るドアロックスイッチ装置は必要に応じて、前記ロック機構部が、前記所定位置におけるドアのカム部に対し、末端部をカム部移動経路上に配置してカム部の移動を妨げる固定位置と、前記末端部をカム部の移動経路から離してカム部の移動を許容する解放位置との間で所定角度範囲揺動自在として、前記スイッチ枠に配設されるレバー状のロックレバーとされ、当該ロックレバーは前記解放位置側から固定位置側へ揺動する向きに付勢されてなり、前記ドアが前記所定位置にある状態で、外部からの操作に基づき、前記ロックレバーを固定位置から解放位置へ強制的に揺動させて保持するアクチュエータ部が、前記スイッチ枠に配設され、前記他の接点部が、前記解放位置へ揺動するロックレバーの一部と所定部位で当接して押圧され、ロックレバーの解放位置到達状態で前記先端部が前記一の接点部先端部の移動可能範囲外の所定箇所に達するものである。
【００１２】
このように本発明によれば、固定位置と解放位置との間で揺動するロックレバーを配設し、解放位置に向うロックレバーで他の接点部先端部を一の接点部先端部の移動可能範囲外に動かしてスイッチ開状態とすることにより、ロックレバーを揺動させる簡略な機構で、ドアロックの解放に合わせて他の接点部を確実に一の接点部に対し引離してスイッチ開状態への移行が図れ、アクチュエータ部によるロック解放も容易に行え、信頼性の高いスイッチ機構を適切に構成できる。
【００１３】
また、本発明に係るドアロックスイッチ装置は必要に応じて、前記リミットスイッチ部における他の接点部が、基端部をスイッチ枠に軸支配設されて所定角度揺動自在とされ、前記一の接点部の先端部に近付く揺動方向に付勢されてなるものである。
【００１４】
このように本発明によれば、リミットスイッチ部の他の接点部が揺動自在に配設され、スイッチレバーがドアのカム部との接触に伴い揺動して第二角度位置に達し、スイッチ機構部における一の接点部先端部を移動後の位置に保持した状態で、この一の接点部先端部に対し他の接点部が、一の接点部先端部側への付勢力を伴って当接することにより、接点同士が確実に当接し、スイッチ開状態から閉状態への移行を速やかで信頼性の高いものとすることができると共に、スイッチ閉状態における接触抵抗を小さく抑えられる。
【発明を実施するための最良の形態】
【００１５】
以下、本発明の一実施形態を図１ないし図８に基づいて説明する。本実施形態においては、エレベータのドアが所定の閉止位置に達した状態でドアのロックを行う場合に適用される例について説明する。図１は本実施形態に係るドアロックスイッチ装置のドア側カム部との非接触状態における概略構成図、図２は本実施形態に係るドアロックスイッチ装置におけるカム部移動によるロックレバー揺動状態説明図、図３は本実施形態に係るドアロックスイッチ装置におけるカム部移動によるリミットスイッチ部のスイッチレバー揺動状態説明図、図４は本実施形態に係るドアロックスイッチ装置におけるドア閉止時のスイッチ閉状態説明図、図５は本実施形態に係るドアロックスイッチ装置におけるドア閉止時のソレノイド動作によるロックレバー揺動状態説明図、図６は本実施形態に係るドアロックスイッチ装置におけるドア開放開始状態説明図、図７は本実施形態に係るドアロックスイッチ装置におけるカム部移動に伴うスイッチレバー復帰状態説明図、図８は本実施形態に係るドアロックスイッチ装置におけるカム部移動に伴うロックレバー復帰状態説明図である。
【００１６】
前記各図において本実施形態に係るドアロックスイッチ装置１は、開閉動作として直線移動するドア５０の閉止状態を検出するリミットスイッチ部１０と、ドア５０が閉止位置に達した状態でドア５０を機械的に拘束する前記ロック機構部としてのロックレバー２０と、ドア５０に対し不動のドア周辺部分に固定配設されて前記リミットスイッチ部１０及びロックレバー２０を支持するスイッチ枠３０と、前記ロックレバー２０を強制的に揺動させるアクチュエータ部としてのソレノイド４０とを備える構成である。
【００１７】
前記リミットスイッチ部１０は、ドア５０に対し不動となるスイッチ枠３０に所定角度揺動自在として配設されるスイッチレバー１１と、このスイッチレバー１１の揺動に連動して接点を開閉するスイッチ機構部１２とを備える構成であり、ドア５０から突出するカム部５１の移動経路内にスイッチレバー１１先端のローラ部１１ａを出入り可能とされ、ドア５０の閉止位置への到達に際し、ローラ部１１ａがカム部５１に当接することでスイッチレバー１１が揺動し、スイッチ機構部１２の接点を開状態から閉状態にするものである。
【００１８】
前記スイッチレバー１１は、スイッチ枠３０の中央近傍に軸支され、ドア５０が前記閉止位置から離れていることでカム部５１と当接していない先端のローラ部１１ａがカム部５１の移動経路内に入った第一角度位置Ａと、ローラ部１１ａが前記閉止位置におけるドア５０のカム部５１に当接してカム部５１の移動経路外にずらされた第二角度位置Ｂとの間で揺動自在とされ、且つ前記第二角度位置Ｂ側から第一角度位置Ａ側へ揺動する向きにバネ（図示を省略）で付勢される構成である。
【００１９】
前記スイッチ機構部１２は、弾性変形する金属板製の一の接点部１３と、ほとんど変形しない剛構造の金属体からなる他の接点部１４とを備え、スイッチレバー１１が第二角度位置Ｂにある場合に各接点部が互いに当接、導通してスイッチ閉状態をなし、且つ第一角度位置Ａにある場合に互いに離隔してスイッチ開状態をなす構成である。各接点部１３、１４には、制御回路等と電気的に接続するための導線が必要に応じて連結接続される。
【００２０】
前記一の接点部１３は、基端部１３ａをスイッチ枠３０のスイッチレバー１１近傍となる所定部位に位置固定として支持配設されると共に、この基端部１３ａに対し反対端となる先端部１３ｂを、第二角度位置Ｂへ揺動するスイッチレバー１１からの押圧を受けて所定範囲移動する配置とされる構成である。
【００２１】
前記他の接点部１４は、基端部１４ａを一の接点部１３及びスイッチレバー１１から離れたスイッチ枠３０の所定部位に軸支配設されると共に、この基端部１４ｂに対し反対端となる先端部１４ｂを、一の接点部１３寄りで、且つスイッチレバー１１が第二角度位置Ｂにある状態における一の接点部１３の先端部１３ｂと少なくとも当接可能となる配置として所定角度揺動自在とされ、一の接点部１３の先端部１３ｂに近付く揺動方向にバネ（図示を省略）で付勢される構成である。ただし、この他の接点部１４は、スイッチレバー１１が一の接点部１３に当接せず、弾性変形していない状態の一の接点部１３に対しては十分に離隔して接触しないよう、揺動角度範囲を所定の回り止め（図示を省略）により制限される。
【００２２】
前記ロックレバー２０は、スイッチ枠３０の端部に軸支され、ドア５０から突出するカム部５１の移動経路内に末端部２１を出入り可能として所定角度揺動自在に配設される構成である。ロックレバー２０は、閉止位置にあるドア５０のカム部５１におけるドア閉止側進行方向と反対側の端面近傍に末端部２１を位置させる固定位置Ｃ（図４参照）と、末端部２１がカム部５１の移動経路から離れてドア５０の移動を許容する解放位置Ｄ（図２参照）との間で揺動自在とされ、且つ前記解放位置Ｄ側から固定位置Ｃ側へ揺動する向きにバネ（図示を省略）で付勢される構成であり、固定位置Ｃではカム部移動経路上に位置する末端部２１でカム部５１の移動を妨げてドア５０を機械的に拘束することとなる。なお、ロックレバー２０の末端部２１は、開放側から閉止位置へ向うドア５０に対応したカム部５１の移動は妨げず、カム部５１に当接してカム部移動経路外に容易にずらされる形状及び配置とされ、ドア５０が閉止位置にある場合（図４参照）のカム部５１の開放側への動きのみ拘束する。
【００２３】
このロックレバー２０には中間で分岐した突出部２２が設けられ、この突出部２２は、ロックレバー２０が解放位置Ｄへ揺動する際に他の接点部１４を押圧し、他の接点部１４をその先端部１４ｂが一の接点部先端部１３ｂの移動可能範囲外に達するまで揺動させることとなる。
【００２４】
前記ソレノイド４０は、コイル部４１をスイッチ枠３０に、鉄心部４２をロックレバー２０にそれぞれ取付けられて配設され、ドア５０が閉止位置にある状態で、外部からの通電操作に基づき、ロックレバー２０と一体の鉄心部４２をコイル部４１側に吸引することで、ロックレバー２０を固定位置Ｃから解放位置Ｄへ強制的に揺動させるものであり、その機構自体は公知のソレノイド同様であり、詳細な説明を省略する。
【００２５】
次に、前記構成に基づくドアロックスイッチ装置の動作状態について説明する。まず、ドア５０が開放状態から閉止位置側に移動すると、ドア５０のカム部５１がロックレバー２０の末端部２１と接触し、移動するカム部５１が接触しながらロックレバー２０を移動経路外に押出すようにしてロックレバー２０を固定位置Ｃから解放位置Ｄへ揺動させる（図２参照）。この時、ロックレバー２０の解放位置Ｄへの揺動に伴って、他の接点部１４がロックレバー２０の突出部２２により押圧されて、その先端部１４ｂが、一の接点部１３の先端部１３ｂから大きく離れた位置まで移動する。
【００２６】
さらにカム部５１は、リミットスイッチ部１０のスイッチレバー１１先端のローラ部１１ａとも接触し、ローラ部１１ａを移動経路外に押出すようにしてスイッチレバー１１を第一角度位置Ａから第二角度位置Ｂ側へ揺動させる（図３参照）。このスイッチレバー１１が第二角度位置Ｂに達する過程で、スイッチ機構部１２の一の接点部１３はスイッチレバー１１からの押圧を受けて移動する。
【００２７】
ドア５０が閉止位置に達すると、カム部５１がロックレバー２０の末端部２１と当接しない位置となるため、ロックレバー２０はバネによる付勢で揺動し、解放位置Ｄから固定位置Ｃに復帰する（図４参照）。ロックレバー２０が固定位置Ｃ側へ揺動することに伴い、他の接点部１４が、ロックレバー２０による押圧から解放されて、付勢力で先端部１４ｂを移動前の位置に向け復帰させようとするが、スイッチレバー１１が第二角度位置Ｂに達して一の接点部１３の先端部１３ｂを移動させていることから、この一の接点部１３の先端部１３ｂと他の接点部１４の先端部１４ｂが当接し、これによってスイッチ閉状態となり、リミットスイッチ部１０としてドア閉止を検出し、ドアの駆動停止等の制御を実行できることとなる。
【００２８】
一方、ドア５０の閉止位置で、カム部５１とスイッチレバー１１先端のローラ部１１ａとの接触は継続しており、スイッチレバー１１は第二角度位置Ｂで保持される。
【００２９】
このドア閉止状態では、リミットスイッチ部１０が閉状態を維持することで、ドア５０の制御について閉止状態を電気的に保持することができることに加え、ロックレバー２０がその末端部２１をカム部５１の開放側への移動を妨げる箇所に位置させていることで、ドア５０を機械的にも拘束した状態となっており、ドア５０を確実に閉止位置に保持できる。
【００３０】
続いて、ドア閉止状態からドアの開放動作を行わせる場合は、ソレノイド４０に対し、外部から通電操作を実行し、鉄心部４２をコイル部４１で吸引することで、ロックレバー２０を固定位置Ｃから解放位置Ｄへ強制的に揺動させる（図５参照）。これにより、ドア５０のカム部５１がロックレバー２０の末端部２１による拘束を受けずに移動可能になる。また、他の接点部１４が、ロックレバー２０の解放位置への揺動に伴ってロックレバー２０の突出部２２により直接押圧されて、その先端部１４ｂが、一の接点部１３の先端部１３ｂがスイッチレバー１１に押されて移動する向きとは異なる方向に移動し、先端部１４ｂは一の接点部先端部１３ｂの移動可能範囲外となる位置に移動して一の接点部１３から離隔することにより、スイッチ開状態となり、ドア５０の駆動再開等の制御を実行できることとなる。
【００３１】
この時、他の接点部１４の先端部１４ｂが一の接点部先端部１３ｂの移動し得ない位置に移動して、一の接点部１３を他の接点部１４に追随させることなく完全に接点部同士が離れる状態になることで、仮に接点が固着していたとしても確実に引離すことができ、スイッチ開状態を常に正しく得られる。
【００３２】
ドア５０が閉止位置から開放方向に移動すると、ドア５０のカム部５１がロックレバー２０の末端部２１と当接可能な位置となるため、ソレノイド４０への通電を停止し、ロックレバー２０を揺動可能な状態に移行させる。付勢されているロックレバー２０の末端部２１はカム部５１との接触により、カム部移動経路外に位置した状態をそのまま維持する（図６参照）。カム部５１の移動に伴い、カム部５１とスイッチレバー１１先端のローラ部１１ａとの接触状態も変化し、付勢力により、スイッチレバー１１は第二角度位置Ｂから第一角度位置Ａ側へ揺動し、ローラ部１１ａはカム部５１の移動経路内に入っていく。
【００３３】
このスイッチレバー１１が第二角度位置Ｂから第一角度位置Ａ側へ揺動する過程で、スイッチ機構部１２の一の接点部１３はスイッチレバー１１からの押圧の弱まりに伴って変形状態から復帰していき、最終的にスイッチレバー１１が一の接点部１３から離れるまでに至ると変形移動前の位置に戻る。やがてカム部５１はスイッチレバー１１先端のローラ部１１ａから離れ、スイッチレバー１１は第一角度位置Ａに達して停止する（図７参照）。
【００３４】
さらに移動するカム部５１がロックレバー２０末端部との接触位置を変えていくことで、ロックレバー２０はバネによる付勢で解放位置Ｄから固定位置Ｃ側へ揺動し、末端部２１はカム部移動経路内に入っていく。ロックレバー２０が固定位置Ｃ側へ揺動することに伴い、他の接点部１４が、ロックレバー２０による押圧から解放されて、その先端部１４ｂを移動前の位置に復帰させるが、一の接点部１３の先端部１３ｂもスイッチレバー１１に押される状態から既に解放されて元の位置に戻っているため、一の接点部１３と他の接点部１４との接触はなく、スイッチ開状態は変化しない。
【００３５】
ドア５０がさらに開放側に進んで閉止位置から大きく離れ、カム部５１がロックレバー２０の末端部２１と当接しなくなると、ロックレバー２０は固定位置Ｃに復帰する（図８参照）。
【００３６】
このように、本実施形態に係るドアロックスイッチ装置は、ドア５０の位置検出用のリミットスイッチ部１０における略板状の二つの接点部１３、１４の各基端部１３ａ、１４ａ位置を大きく異ならせて配置し、ロックレバー２０によるドアロックの解放時にロックレバー２０の押圧を受けて他の接点部先端部１４ｂが動く向きと、一の接点部先端部１３ｂの移動可能な向きとを異ならせ、ロックレバー２０で他の接点部先端部１４ｂを一の接点部先端部１３ｂの移動可能範囲外に動かしてスイッチ開状態とすることから、ロックレバー２０による押圧で他の接点部１４を確実に一の接点部１３に対し引離すことができ、ドアロックの解放と共にスイッチを確実に開状態に移行させられ、閉状態の異常継続もなくリミットスイッチとしての信頼性を高められ、ドア開閉機構全体の安全性を確保できる。
【００３７】
なお、前記実施形態に係るドアロックスイッチ装置においては、ドア５０が所定の閉止位置に達した状態でリミットスイッチ部１０の閉状態を得ると共にロックレバー２０でドア５０のロックを行う場合について説明しているが、これに限らず、ドアに対する装置の設置位置を変えて、ドアが開放した位置など、他の所定位置でリミットスイッチ部を開状態から閉状態にすると共にロックレバーでドアロックを行うよう設定することもできる。また、ロックレバー２０によるカム部５１の拘束は、ドア閉止位置から開放方向への移動の場合のみ拘束するものとしているが、この他、閉止位置や完全開放位置等のドアの移動限界位置で別途ドアの閉止側又は開放側への過剰な進行を抑制する手段を設けない場合や、こうした移動限界位置以外の所定中間位置でドアのロックを行おうとする場合には、ロックレバーとカム部の当接位置関係を適宜調整して、ロックレバーでカム部の直線移動を完全に拘束し、直線上のいずれの方向にもドアを動かないようロックする構成とすることもできる。
【図面の簡単な説明】
【００３８】
【図１】本発明の一実施形態に係るドアロックスイッチ装置のドア側カム部との非接触状態における概略構成図である。
【図２】本発明の一実施形態に係るドアロックスイッチ装置におけるカム部移動によるロックレバー揺動状態説明図である。
【図３】本発明の一実施形態に係るドアロックスイッチ装置におけるカム部移動によるリミットスイッチ部のスイッチレバー揺動状態説明図である。
【図４】本発明の一実施形態に係るドアロックスイッチ装置におけるドア閉止時のスイッチ閉状態説明図である。
【図５】本発明の一実施形態に係るドアロックスイッチ装置におけるドア閉止時のソレノイド動作によるロックレバー揺動状態説明図である。
【図６】本発明の一実施形態に係るドアロックスイッチ装置におけるドア開放開始状態説明図である。
【図７】本発明の一実施形態に係るドアロックスイッチ装置におけるカム部移動に伴うスイッチレバー復帰状態説明図である。
【図８】本発明の一実施形態に係るドアロックスイッチ装置におけるカム部移動に伴うロックレバー復帰状態説明図である。
【図９】従来のドアロックスイッチ装置のドア側カム部との非接触状態における概略構成図である。
【図１０】従来のドアロックスイッチ装置におけるカム部移動によるロックレバー揺動状態説明図である。
【図１１】従来のドアロックスイッチ装置におけるカム部移動によるリミットスイッチ部のスイッチレバー揺動状態説明図である。
【図１２】従来のドアロックスイッチ装置におけるドア閉止時のスイッチ閉状態説明図である。
【符号の説明】
【００３９】
１、１００        ドアロックスイッチ装置
１０、１０１      リミットスイッチ部
１１、１０４      スイッチレバー
１１ａ            ローラ部
１２、１０５      スイッチ機構部
１３              一の接点部
１３ａ、１４ａ    基端部
１３ｂ、１４ｂ    先端部
１４              他の接点部
２０、１０２      ロックレバー
２１              末端部
２２              突出部
３０              スイッチ枠
４０、１０３      ソレノイド
４１              コイル部
４２              鉄心部
５０              ドア
５１              カム部
【図１】
2009263083.tif 000003
【図２】
2009263083.tif 000004
【図３】
2009263083.tif 000005
【図４】
2009263083.tif 000006
【図５】
2009263083.tif 000007
【図６】
2009263083.tif 000008
【図７】
2009263083.tif 000009
【図８】
2009263083.tif 000010
【図９】
2009263083.tif 000011
【図１０】
2009263083.tif 000012
【図１１】
2009263083.tif 000013
【図１２】
2009263083.tif 000014